(57)【要約】【課題】  両面使用可能な滑り止めマットタオルを提供する。【解決手段】  両面使用可能な滑り止めマットタオルであって、布生地層と、該布生地層の表面に貼付され、且つ、所定の図案を呈すると共に複数の第１の中空部を形成し、該布生地層の表面がこれら第１の中空部から露出する第１の滑り止め層と、該布生地層の裏面に貼付され、且つ、所定の図案を呈すると共に複数の第２の中空部を形成し、該布生地層の裏面がこれら第２の中空部から露出する第２の滑り止め層と、を含む。これを介することで、本発明は両面のいずれも使用できる効果を持ち、且つ、吸汗や滑り止めの効果を兼ね備え、更に折りたたむことができることで収納上の利便性を有する。【選択図】  図１
2014217762.tif 000002
【特許請求の範囲】
【請求項１】
布生地層と、
前記布生地層の表面に貼付され、且つ、所定の図案を呈すると共に複数の第１の中空部を形成し、前記布生地層の表面を前記第１の中空部から露出させる第１の滑り止め層と、
前記布生地層の裏面に貼付され、且つ、所定の図案を呈すると共に複数の第２の中空部を形成し、前記布生地層の裏面を前記第２の中空部から露出させる第２の滑り止め層と、
を備えることを特徴とする両面使用可能な滑り止めマットタオル。
【請求項２】
前記第１の滑り止め層、及び、前記第２の滑り止め層は、ポリウレタン（ＰＵ）、天然ゴム、ラテックス、シリコーン、アクリル、或いは、合成ゴムで製造されたものであることを特徴とする請求項１に記載の両面使用可能な滑り止めマットタオル。
【請求項３】
前記第１の滑り止め層は前記布生地層の表面から突出し、
前記第２の滑り止め層は前記布生地層の裏面から突出することを特徴とする請求項１に記載の両面使用可能な滑り止めマットタオル。
【請求項４】
前記第１の滑り止め層は、前記布生地層の表面から突出する高さが２ミリメートルを下回り、
前記第２の滑り止め層は、前記布生地層の裏面から突出する高さが２ミリメートルを下回ることを特徴とする請求項３に記載の両面使用可能な滑り止めマットタオル。
【請求項５】
前記第１の滑り止め層と前記第２の滑り止め層とは、互いに対称しており、且つ、前記布生地層を隔て互いに重なっていることを特徴とする請求項１に記載の両面使用可能な滑り止めマットタオル。
【請求項６】
前記第１の滑り止め層と前記第２の滑り止め層とは、該布生地層を隔てて互いにずれていることを特徴とする請求項１に記載の両面使用可能な滑り止めマットタオル。
【請求項７】
前記第１の滑り止め層は、前記布生地層表面において、指を除いた手のひらの面積と同じ面積を有する範囲以内で、前記布生地層の表面露出部分の局部及び前記第１の滑り止め層の局部が必ず存在するよう設置されており、
前記第２の滑り止め層は、前記布生地層裏面において、指を除いた手のひらの面積と同じ面積を有する範囲以内で、前記布生地層の裏面露出部分の局部及び前記第２の滑り止め層の局部が必ず存在するよう設置されていることを特徴とする請求項１に記載の両面使用可能な滑り止めマットタオル。
【請求項８】
前記第１の滑り止め層は、前記布生地層表面の複数の局部位置において、指を除いた手のひらの面積と同じ面積を有する範囲以内で、前記布生地層の表面露出部分の局部及び前記第１の滑り止め層の局部が存在するよう設置されており、
前記第２の滑り止め層は、前記布生地層裏面の複数の局部位置において、指を除いた手のひらの面積と同じ面積を有する範囲以内で、前記布生地層の裏面露出部分の局部及び前記第２の滑り止め層の局部が存在するよう設置されていることを特徴とする請求項１に記載の両面使用可能な滑り止めマットタオル。
【請求項９】
前記第１の滑り止め層は前記布生地層表面の繊維隙間に嵌め込まれており、
前記第２の滑り止め層は前記布生地層裏面の繊維隙間に嵌め込まれていることを特徴とする請求項１に記載の両面使用可能な滑り止めマットタオル。
【発明の詳細な説明】
【技術分野】
【０００１】
本発明は、エクササイズマットに関し、特に、両面使用可能な滑り止めマットタオルに関する。
【背景技術】
【０００２】
従来のエクササイズマット、例えば特許文献１のようにマット本体の表面に滑り止めマークを設け、エクササイズ時に人体がマット本体と接触した時の滑り止め効果を奏することが開示されている。特許文献２にはマット本体の表面に滑り止め弾性材が設けられ、エクササイズ時の滑り止め効果を奏することが開示されている。特許文献３にはマット本体の表面に吸汗層（つまり布生地）及び防滑層と隔てられ配列するよう設置されることで、吸汗及び防滑の効果を奏することが開示されている。また、特許文献４にはマット本体の裏面に滑り止めの突起が設けられた技術的特徴が開示され、使用時にマット本体が床面を滑動するのを防止できる。
【０００３】
現在市販されている敷きタオルは、その大半がウェット処理された滑り止めのみ提供されているが、マットの場合、ドライ処理された滑り止めのみが提供されているため、敷きタオルの下部のマットを組み合わせて使用することで滑動することなく、同時にウェット・ドライ処理された滑り止め機能を備えると共に単独で使用でき、且つ折りたたんで持ち運びに便利で、簡単に洗濯機で洗濯できる製品がない。
【０００４】
前記エクササイズマットの一部の製品は、生地と滑り止め部材の異なる特性を利用し、肌が乾いた布に接触した時滑動しやすく、濡れた布に接触した時滑り止めできるという効果、及び人体の肌が乾いた滑り止め部材に接触した時滑り止めができ、濡れた滑り止め部材に接触した時、滑動しやすい効果を介することで、エクササイズ時に汗をかいてマット本体表面が湿潤した際、総合的に上記効果を利用して汗の有無を問わず、完全に滑り止めの効果を奏する。
【０００５】
しかしながら、前記従来のマット本体において、人体用の両面いずれも滑り止め設計が設けられたものが開示されておらず、つまり前記従来のマット本体は、表裏両面を裏返しながら使用できない。これ以外に、前記従来のマット本体内に発泡層があるものは、折り曲げに適さないため、ロール状に巻き取り或いはフラット方式でしか収納できないため、収納場所の大きな体積を占めてしまう。このため従来のマット本体は、同時にドライ・ウェット処理された滑り止め機能を備えることができず、且つ折りたたんで持ち運びに便利な機能を持っていない。
【先行技術文献】
【特許文献】
【０００６】
【特許文献１】台湾特許番号第Ｍ３８７６８９号明細書
【特許文献２】台湾特許番号第Ｍ４２５６９４号明細書
【特許文献３】台湾特許番号Ｍ４３４６１０号明細書
【特許文献４】台湾特許番号Ｍ３９４１６９号明細書
【発明の概要】
【発明が解決しようとする課題】
【０００７】
従来のエクササイズマットの問題点は、その両面を裏返して使用することができず、且つ折畳みにおいて比較的大きな制限を受け、収納時も大きな体積を占める。
【０００８】
本発明は、上述の問題に鑑みてなされたものであり、その目的は、滑り止め効果も兼ね備え、且つ収納上の利便性を更に持った両面使用可能なエクササイズマットを提供することを目的とする。
【課題を解決するための手段】
【０００９】
本発明による両面使用可能な滑り止めマットタオルは、布生地層と、該布生地層の表面に貼付され、且つ所定の図案を呈すると共に複数の第１の中空部を形成し、該布生地層の表面がこれら第１の中空部から露出する第１の滑り止め層と、該布生地層の裏面に貼付され、且つ所定の図案を呈すると共に複数の第２の中空部を形成し、該布生地層の裏面がこれら第２の中空部から露出する第２の滑り止め層と、を含む。
【００１０】
本発明は両面のいずれも使用できる効果を持ち、且つ吸汗や滑り止めの効果を兼ね備え、更に折りたたむことができることで収納上の利便性を有する。
【図面の簡単な説明】
【００１１】
【図１】本発明の第１実施形態による両面使用可能な滑り止めマットタオルを示す立体図である。
【図２】図１内の２−２断面線に沿った断面図である
【図３】本発明の第１実施形態による両面使用可能な滑り止めマットタオルの使用状態を示す図である。
【図４】本発明の第２実施形態による両面使用可能な滑り止めマットタオルを示す立体図である
【図５】図４内の５−５断面線に沿った断面図である。
【図６】本発明の第３実施形態による両面使用可能な滑り止めマットタオルを示す平面図である。
【発明を実施するための形態】
【００１２】
（第１実施形態）
図１から図３に示されるように、本発明に基づく第１実施形態による両面使用可能な滑り止めマットタオル１０は、主に布生地層１１と第１の滑り止め層２１と第２の滑り止め層３１とからなる。
【００１３】
本発明の図面において第１の滑り止め層２１と第２の滑り止め層３１を更に明確させるため、該布生地層１１を比較的厚い構造で表示し、実際の布生地層１１を更に薄いものにしていることを、先ず説明しておく。
【００１４】
該布生地層１１は、織物であるため吸汗の効果を持つ。
【００１５】
該第１の滑り止め層２１は、該布生地層１１の表面に貼付され且つ所定の図案を呈すると共に複数の第１の中空部１２を形成し、該布生地層１１の表面がこれら第１の中空部１２から露出する。
【００１６】
該第２の滑り止め層３１は、該布生地層１１の裏面に貼付され且つ所定の図案を呈すると共に複数の第２の中空部１３を形成し、該布生地層１１の裏面がこれら第２の中空部１３から露出する。
【００１７】
本実施例において、該第１の滑り止め層２１及び該第２の滑り止め層３１は、ポリウレタン（ＰＵ）、天然ゴム、ラテックス、シリコーン、アクリル或いは合成ゴムで製造されて該布生地層１１の表面或いは裏面の繊維隙間に嵌め込まれる。この嵌め込まれる構造は、滑り止め層と布生地層の結合性をサポートするが、嵌め込まれておらずに貼り合せ方式のみを使用した使用可能な結合方式としも、本発明の特許範囲をカバーする。また、該第１の滑り止め層２１と該第２の滑り止め層３１は、互いに対称となるよう該布生地層１１を隔てて重なる。
【００１８】
また、本実施例において、該第１の滑り止め層２１は、該布生地層１１の表面から突出し、且つ突出する高さも２ミリメートルを下回る。該第２の滑り止め層３１は、該布生地層１１の裏面から突出し、且つ突出する高さも２ミリメートルを下回る。この突出は、利用者が使用している時該第１の滑り止め層２１或いは該第２の滑り止め層３１を触った感覚を感じさせることで、現行の滑り止め効果の有無を確認してもらうことで利用者を安心させることができる。この外に、利用上の快適性に影響を及ぼさないよう突出する高さが高すぎないようにすることにある。突出する高さは２ミリメートルを下回らなければならないものとするが、実際に突出する高さは１ミリメートルが好ましい。
【００１９】
次に、該第１の滑り止め層２１の設置方式は、該布生地層１１表面において指を除いた手のひらの面積以内で必ず該布生地層１１の表面露出部分の局部及び該第１の滑り止め層２１の局部が存在していなければならない。該第２の滑り止め層３１の設置方式は、該布生地層１１裏面において指を除いた手のひらの面積以内で必ず該布生地層１１の裏面露出部分の局部及び該第２の滑り止め層３１の局部が存在していなければならない。これを介して利用者がエクササイズしている時、手のひらが必ず布生地層１１の局部及び滑り止め層の局部に接触することで、有効的な滑り止め効果を奏することができる。ここの手のひらの大きさとは、一般成人の手のひらの大きさをいい、当然消費者群の違いによってその大きさも調整でき、例えば１２才以下の子供に使用させる時、その手のひらの大きさが一般成人より小さいため、該第１の滑り止め層２１及び該第２の滑り止め層３１の設置において、小面積で設計し、つまり該年齢層の人たちの平均的な手のひらの大きさに調整する。また、一般人の足の裏は手のひらより大きいため、手のひらの大きさを設計基準とする条件の下で、足の裏が該布生地層１１を踏んだ時、同じ様に必ず布生地層１１の局部及び滑り止め層の局部に接触できる。
【００２０】
以上、第１実施形態の構造を説明し、次に第１実施形態の使用状態を説明する。
【００２１】
図１から図３示すように、利用者が使用している時、本発明の滑り止めマットタオル１０を床に敷いて表面を上向きにし、且つその上でエクササイズを行う。エクササイズの過程において、該布生地層１１は、該第１の中空部１２から露出した部位及び該第１の滑り止め層２１により人体の肌の接触部位に対して吸汗及び滑り止め効果を発揮させる。該布生地層１１の裏面にある該第２の滑り止め層３１は、床に対して滑り止め効果を発揮できる。また、該第１の滑り止め層２１と該第２の滑り止め層３１が互いに対称となり且つ該布生地層１１を隔てて重なる構造を介することで、利用者が該第１の滑り止め層２１に接触した時、その下方も対向する第２の滑り止め層３１も有することを示し、こうすることで利用者は第２の滑り止め層３１が床に対して滑り止め効果を発揮していることを認知できるため、更に安心できる。
【００２２】
該布生地層１１は吸汗の効果を発揮できるため、汗をかいている状態において人体の肌に対して滑り止め効果を提供できる。該第１の滑り止め層２１及び該第２の滑り止め層３１は、汗をかいていない時人体の肌に対して滑り止め効果を提供できることで、本発明は、乾湿状態においても滑り止めできるという効果を奏する。
【００２３】
本発明の滑り止めマットタオル１０の裏面は、床に対して滑動せず、本発明の滑り止めマットタオル１０が利用者に対しても滑り止め効果を有し、よって利用者の使用過程において滑動の問題が起こらなないため不測の事態も避けることができる。
【００２４】
本発明の滑り止めマットタオル１０は裏返しても効果が同じで、これから本発明の滑り止めマットタオル１０の両面もいずれも使用できることが分かる。
【００２５】
これ以外に、本発明は、主に布生地層１１であるため、発泡層が無く折畳むことで体積を大幅に縮小させることができ、収納上の利便性を持つ。これは、前記従来のマット本体収納の問題を確実に改良できる。
【００２６】
（第２実施形態）
図４から図５示すように、本発明の第２実施形態による両面使用可能な滑り止めマットタオル４０は、前記第１実施形態とほぼ同じである。相違点は、該第１の滑り止め層５１と該第２の滑り止め層６１が該布生地層４１を隔てて重ならないことである。
【００２７】
第２実施形態の滑り止めマットタオル４０を使用している時、利用者は、第１実施形態のように該第１の滑り止め層５１に接触しても下方に第２の滑り止め層６１があることを認知できないことで、心理的に第１実施形態のように確定できないが、実質的にやはり該第２の滑り止め層６１によって床に対して滑り止め効果を奏することができる。裏返して使用した場合も該第１の滑り止め層５１を通じて床に対して滑り止めできる。
【００２８】
第２実施形態の他の構造及び奏することができる効果は、いずれも前記第１実施形態とほぼ同じであるため、詳細な説明を省略する。
【００２９】
（第３実施形態）
図６示すように、本発明の第３実施形態による両面使用可能な滑り止めマットタオル７０は、主に前記第１実施形態とほぼ同じである。相違点は、該第１の滑り止め層８１の設置方式が該布生地層７１表面の複数の局部位置Ａにおいて指を除いた手のひらの面積大きさ以内に該布生地層７１の表面露出部分の局部及び該第１の滑り止め層８１の局部が存在することにある。
【００３０】
該第２の滑り止め層（図示略）の設置方式は、該第１の滑り止め層８１に対称して該布生地層７１の裏面に位置するため、第１の滑り止め層８１と同様に、該布生地層７１裏面の複数の局部位置Ａにおいて指を除いた手のひらの面積大きさ以内に該布生地層７１の裏面露出部分の局部及び該第２の滑り止め層の局部が存在することにある。
【００３１】
該第１の滑り止め層８１及び該第２の滑り止め層は、第１実施形態の任意の箇所において手のひらが同時に第１の或いは第２の滑り止め層８１及び布生地層７１に接触できることを確保できることとは異なるが、手のひらが同時に第１の或いは第２の滑り止め層８１及び布生地層７１に接触できることを確保できるよう、やはり複数の局部位置Ａを有し、利用者はこれを介して使用上の滑り止め性を確保できる。この外に、第３実施形態の第１或いは第２の滑り止め層８１の設置方式は、第１の或いは第２の滑り止め層８１の図案を更にバラエティーにし、変化をもたせ、例えば図６内に示す第１の滑り止め層８１の図案は、特定トーテムの視学効果を有し、同時に吸汗及び滑り止めの効果を奏することができる。
【００３２】
第３実施形態その他の構造及び奏することができる効果は、いずれも前記第１実施形態とほぼ同じであるため、詳細な説明を省略する。
【符号の説明】
【００３３】
１０  両面使用可能な滑り止めマットタオル、
１１  布生地層、
１２  第１の中空部、
１３  第２の中空部、
２１  第１の滑り止め層、
３１  第２の滑り止め層、
４０  両面使用可能な滑り止めマットタオル、
４１  布生地層、
５１  第１の滑り止め層、
６１  第２の滑り止め層、
７０  両面使用可能な滑り止めマットタオル、
７１  布生地層、
８１  第１の滑り止め層、
Ａ  局部位置。
【図１】
2014217762.tif 000003
【図２】
2014217762.tif 000004
【図３】
2014217762.tif 000005
【図４】
2014217762.tif 000006
【図５】
2014217762.tif 000007
【図６】
2014217762.tif 000008
【外国語明細書】
2014217762.tif 000009
2014217762.tif 000010
2014217762.tif 000011
2014217762.tif 000012
2014217762.tif 000013
2014217762.tif 000014
2014217762.tif 000015
2014217762.tif 000016
2014217762.tif 000017
2014217762.tif 000018
2014217762.tif 000019
2014217762.tif 000020
2014217762.tif 000021
2014217762.tif 000022
2014217762.tif 000023
2014217762.tif 000024
2014217762.tif 000025
2014217762.tif 000026
2014217762.tif 000027
2014217762.tif 000028